(57)【特許請求の範囲】
【請求項１】
柵本体と、この柵本体を被取付部に取付ける取付金具を備え、
前記柵本体は、左右方向に向かうと共に、下面、上面、前記被取付部と対向した一面、前記被取付部と反対側の他面を有した横向部を有し、
前記取付金具は、前記被取付部にそれぞれ固着される第１金具と第２金具を備え、
前記第１金具は、固着用孔を有した固着片と、前記横向部の下面が接する載置部、この載置部よりも前記固着片寄りで、かつ前記横向部の一面が接する支持縦部を有した第１金具板を備え、その固着用孔を挿通した第１固着具で固着片が被取付部に固定され、
第２金具は、固着用孔と前記第１固着具が嵌まり合う大径孔を有した固着片と、前記横向部の他面に押しつけられる押え縦部、この押え縦部よりも前記固着片寄りで、かつ上方に位置して前記横向部の上面に接する押え部を有した第２金具板を備え、その固着片を第１金具の固着片に接する共に、その固着用孔を挿通した第２固着具で第１金具の固着片と第２金具の固着片を被取付部に固定すると共に、第１金具の第１金具板と第２金具の第２金具板を接し、その第１金具板と第２金具板を第３固着具で固着し、
前記第１金具の載置部と第２金具の押え部とで前記横向部の下面と上面を挟持して横向部を上下方向に動かないように固定すると共に、前記第１金具の支持縦部と第２金具の押え縦部とで前記横向部の一面と他面を挟持して横向部を左右方向と直交した方向に動かないように固定することを特徴とする柵。
【請求項２】
第１金具の第１金具板は、支持縦部と対向した保持縦部を備え、この保持縦部と支持縦部の間隔は横向部の一面と他面との間の寸法よりも大きい請求項１記載の柵。
【請求項３】
第１金具の第１金具板の支持縦部を、弾性を有するものとした請求項１又は２記載の柵。
【請求項４】
第２金具の第２金具板に長孔を形成し、この長孔を挿通した第３固着具で、第２金具の第２金具板が第１金具の第１金具板に対して上下方向に移動及び回動可能に連結できると共に、固着できるようにした請求項１又は２又は３記載の柵。
【発明の詳細な説明】
【０００１】
【発明の属する技術分野】
本発明は、建物の開口部の室外側部に取付けられる面格子、目隠し塀、手摺、フラワーボックスや、共同住宅の外廊下、バルコニーに取付けられる手摺、屋外に取付けられるフェンス等の柵に関する。
【０００２】
【従来の技術】
特許文献１に開示された目隠し塀が知られている。
この目隠し塀は、縦棧と横棧と目隠し板を備えた本体と、この本体を建物の壁に取付ける取付金具を備え、その取付金具は横棧に固着される腕板と、建物の壁に固着される金具板と、この金具板と腕板を固着するボルト、ナットを有し、その腕板にはボルトに嵌まり合う切欠部が形成されている。
前述の目隠し塀は次のようにして取付けられる。
前記金具板を建物の壁に固着すると共に、その金具板の孔にボルトを挿通し、横棧に固着した腕板の切欠部をボルトに嵌め合せて本体を仮置きする。その状態でボルトにナットを螺合して腕板と金具板を固着することで本体を取付ける。
【０００３】
【特許文献１】
実開昭５０−１２５２４３号公報
【０００４】
【発明が解決しようとする課題】
前述した従来の目隠し塀は本体を仮置きした後にボルトにナットを螺合できるので、一人の作業者で容易に取付けでき、施工性が良いが、次のような課題がある。
第１の課題は、ボルトに腕板の切欠部を嵌め合せて仮置きし、そのボルトにナットを螺合して腕板と金具板を固着するので、本体の左右方向の取付け位置を調整できないことである。
第２の課題は、腕板を横棧に固着するので、その横棧にタップ穴などの固着用加工する必要があることである。
【０００５】
本発明は、前述の課題に鑑みなされたものであって、その目的は、一人の作業者で容易に取付けできること、柵本体の左右方向の取付け位置を調整できること、柵本体に固着用穴等の取付用加工が不要であること、を満足した柵を提供することである。
【０００６】
【課題を解決するための手段】
第１の発明は、柵本体２と、この柵本体２を被取付部３に取付ける取付金具４を備え、
前記柵本体２は、左右方向に向かうと共に、下面５ａ、上面５ｄ、前記被取付部３と対向した一面５ｂ、前記被取付部３と反対側の他面５ｃを有した横向部５を有し、
前記取付金具４は、前記被取付部３にそれぞれ固着される第１金具６と第２金具７を備え、
前記第１金具６は、固着用孔２８を有した固着片２４と、前記横向部５の下面５ａが接する載置部２１、この載置部２１よりも前記固着片２４寄りで、かつ前記横向部５の一面５ｂが接する支持縦部２２を有した第１金具板２５を備え、その固着用孔２８を挿通した第１固着具４０で固着片２４が被取付部３に固定され、
第２金具７は、固着用孔３６と前記第１固着具４０が嵌まり合う大径孔３７を有した固着片３３と、前記横向部５の他面５ｃに押しつけられる押え縦部３１、この押え縦部３１よりも前記固着片３３寄りで、かつ上方に位置して前記横向部５の上面５ｄに接する押え部３２を有した第２金具板３４を備え、その固着片３３を第１金具６の固着片２４に接する共に、その固着用孔３６を挿通した第２固着具４１で第１金具６の固着片２４と第２金具７の固着片３３を被取付部３に固定すると共に、第１金具６の第１金具板２５と第２金具７の第２金具板３４を接し、その第１金具板２５と第２金具板３４を第３固着具４２で固着し、
前記第１金具６の載置部２１と第２金具７の押え部３２とで前記横向部５の下面５ａと上面５ｄを挟持して横向部５を上下方向に動かないように固定すると共に、前記第１金具６の支持縦部２２と第２金具７の押え縦部３１とで前記横向部５の一面５ｂと他面５ｃを挟持して横向部５を左右方向と直交した方向に動かないように固定することを特徴とする柵である。
【０００７】
第２の発明は、第１の発明において第１金具６の第１金具板２５は、支持縦部２２と対向した保持縦部２３を備え、この保持縦部２３と支持縦部２２の間隔は横向部５の一面５ｂと他面５ｃとの間の寸法よりも大きい柵である。
【０００８】
第３の発明は、第１又は第２の発明において、第１金具６の第１金具板２５の支持縦部２２を、弾性を有するものとした柵である。
【００１０】
第４の発明は、第１又は第２又は第３の発明において第２金具６の第２金具板２５に長孔３９を形成し、この長孔３９を挿通した第３固着具４２で、第２金具７の第２金具板３４が第１金具６の第１金具板２５に対して上下方向に移動及び回動可能に連結できると共に、固着できるようにした柵である。
【００１１】
【作用】
第１の発明によれば、第１金具６の固着片２４を被取付部３に取付け、その第１金具６の載置部２１に横向部５の下面５ａを載置することで柵本体２を仮置きし、その後に第２金具７の固着片３３を被取付部３に取付けることで第１金具６の載置部２１と第２金具７の押え部３２で横向部５の下面５ａと上面５ｄを挟持し、上下方向に動かないように固定すると共に、第１金具６の支持縦部２２と第２金具７の押え縦部３１とで横向部５の一面５ｂと他面５ｃを挟持し、左右方向と直交する方向に動かないように固定して取付けできる。
また、第１金具６の固着片２４に第２金具７の固着片３３を接し、第１金具６の第１金具板２５と第２金具７の第２金具板３４を接して第３固着具４２で固着できる。
【００１２】
第２の発明によれば、横向部５の下面５ａを第１金具６の載置部２１に載置して仮置きした際に、その保持縦部２３が横向部５の他面５ｃと接することで柵本体２が脱落することを防止できる。
【００１３】
第３の発明によれば、第１金具６の支持縦部２２が弾性変位することで、横向部５の一面５ｂと他面５ｃをより強固に挟持して固定できる。
【００１５】
第４の発明によれば、第１金具６と第２金具７を予め連結できるので、運搬保管時に第１金具６と第２金具７を紛失する恐れが少なくなる。
また、第３固着具４２を連結と固着に共用できる。
【００１６】
【発明の実施の形態】
図１と図２と図３に示すように、柵１は柵本体２と、この柵本体２を被取付部３に取付ける取付金具４を備えている。
前記柵本体２は左右方向に向う横向部５を有する。
前記取付金具４は第１金具６と第２金具７を備え、この第１金具６と第２金具７が被取付部３に固着され、第１金具６に前記横向部５が載置支持されると共に、その横向部５を第１金具６と第２金具７で挟持して左右方向と直交した方向に動かないように固定する。好ましくは上下方向にも動かないように固定する。
この実施の形態では柵本体２は上下の横棧１０と複数の縦棧１１を備えた面格子本体１２で、その上下の横棧１０の左右両端寄り部分が横向部５である。
前記上下の横棧１０の左右両端寄り部分を４つの取付金具４でそれぞれ固定し、その４つの取付金具４は建物の外壁８にそれぞれ取付けられ、面格子本体１２（柵本体２）が窓開口部９の室外側に取付けられ、面格子を構成している。
前記建物の外壁８が被取付部３である。
【００１７】
前記第１金具６は被取付部３に固着される固着部２０と、横向部５の下面５ａが接する載置部２１と、横向部５の被取付部３と対向した一面５ｂが接する支持縦部２２を有する。この支持縦部２２は載置部２１よりも上方で、かつ固着部２０寄りに位置している。この支持縦部２２は弾性を有することが好ましい。
前記第１金具６は横向部５の被取付部３と反対側の他面５ｃが当接する保持縦部２３を有することが好ましい。この保持縦部２３は載置部２１よりも上方で、かつ固着部２０と反対寄りに位置している。
【００１８】
前記第１金具６の具体形状の一例を図４に基づいて説明する。
一端部に固着片２４を有する第１金具板２５の他端部に上向きコ字状の凹部２６を有し、この凹部２６の固着片２４側の第１縦面２６ａに突出片２７を有している。この突出片２７が前記支持縦部２２で、弾性を有する。
前記凹部２６の底面２６ｂが前記載置部２１である。
前記凹部２６の第１縦面２６ａと反対側の第２縦面２６ｃの間隔が横向部５の一面５ｂと他面５ｃとの間の寸法（つまり幅）よりも大きく、その第２縦面２６ｃが前記保持縦部２３である。
前記固着片２４は固着用孔２８を有し、前記固着部２０である。
前記第１金具板２５には孔２９が形成してある。
なお、保持縦部２３を有しない第１金具６の場合には、第１金具板２５の他端部にＬ字形状の切欠部を形成すれば良い。
【００１９】
前記第２金具７は被取付部３に固着される固着部３０と、横向部５の他面５ｃに接する押え縦部３１を有する。
この第２金具７は横向部５の上面５ｄと接する押え部３２を有することが好ましい。この押え部３２を設けることで横向部５が上下に動かないように固定できる。
【００２０】
前記第２金具７の具体形状の一例を図４に基づいて説明する。
一端部に固着片３３を有する第２金具板３４の他端部に下向きコ字状の凹部３５を有し、この凹部３５の固着片３３側の第１縦面３５ａと反対側の第２縦面３５ｂの間隔が横向部５の幅よりも大きく、その第２縦面３５ｂが前記押え縦部３１で、底面３５ｃが前記押え部３２である。
前記固着片３３は固着用孔３６と大径孔３７を有し、前記固着部３０である。
前記第２金具板３４には孔３８が形成してある。
【００２１】
前記横向片５は対向した下面５ａと上面５ｄ及び対向した一面５ｂと他面５ｃを有する矩形断面形状である。
【００２２】
次に、柵１の取付け手順を説明する。
図５（ａ）に示すように被取付部３に第１金具６の固着部２０を第１固着具４０で固着する。
この実施の形態では、建物の外壁８における窓開口部９の上下左右縁に４つの第１金具６の固着片２４を、その上下中間の固着用孔２８を挿通した第１固着具４０でそれぞれ固着する。
この時、左右に対向した第１金具６の支持片２７は相対向するように内向きとする。
【００２３】
柵本体２を持ち上げて横向部５の下面５ａを第１金具６の載置部２１に載置して仮置きする。
この時、第１金具６が保持縦部２３を有する形状であれば、横向部５が載置部２１から脱落することを防止できる。
前述のようにして仮置きした状態で、横向部５の下面５ａを載置部２１に摺動させることで、柵本体２を左右に移動して位置調整する。
この実施の形態では、面格子本体１２の上下の横棧１０の左右両端寄りを４つの第１金具６の載置部２１にそれぞれ載置して仮置きし、左右に移動して位置調整する。
【００２４】
図５（ｂ）に示すように、横向部５の上に第２金具７を位置させ、その押え縦部３１を横向部５の他面５ｃと対向させる。
好ましくは、押え部３２を横向部５の上面５ｄに接する。
この状態では第２金具７の固着部３０は被取付部３と離隔する。
この実施の形態では上下の横棧１０の左右両端寄り上部に４つの第２金具７を位置させ、その押え部３２を各横棧１０の上面に接すると共に、押え縦部３１を各横棧１０の他面と対向させる。
この時、第２金具７の固着片３３は第１金具６の固着片２４よりも面格子本体１２寄りに位置して両者の間に隙間がある。
【００２５】
図５（ｃ）に示すように第２金具７の固着部３０を被取付部３に第２固着具４１で固着し、押え縦部３１を横向部５の他面５ｃに押しつけて横向部５の一面５ｂを第１金具６の支持縦部２２に接し、この横向部５を第１金具６と第２金具７で挟持して左右方向と直交する方向に動かないように固定する。好ましくは上下方向に動かないように固定する。
【００２６】
この実施の形態では、第２金具７の固着片３３の上下の固着用孔３６から第２固着具４１を第１金具６の固着片２４の固着用孔２８を挿通して建物の外壁８に固着し、その固着片３３を第１金具６の固着片２４に接して両者を同時に固着する。前記第１固着具４０は大径孔３７に嵌まり合う。
これによって、横向部５の一面５ｂが突出片２７に接して固着片２４側に弾性変位させるので、より強固に挟持して固定できる。
また、固着片２４と固着片３３が接することで、第１金具６の第１金具板２５と第２金具７の第２金具板３４が左右方向に接し、その両者を各孔２９，３８を挿通した第３固着具４２、例えば、ボルト４２ａ、ナット４２ａで固着する。
なお、第２金具７の固着部３０（固着片３３）を被取付体３（建物の外壁８）に接するように固着しても良い。
【００２７】
前記第１金具６と第２金具７を予じめ移動可能に連結しても良い。
例えば、図６に示すように第２金具板３４に長孔３９を形成し、この長孔３９と第１金具板２５の孔２９に第３固着具４２を挿通して弛く固着し、第２金具板３４が第１金具板２５に対して上下方向に向うようにする。
そして、取付け時には第１金具板２５を固着した後に第２金具板３４を上方に移動しながら下方に回動して図５（ｂ）に示す姿勢とし、この後に第２金具板３４を図５（ｃ）に示すように固着する。
【００２８】
このようにすれば、運搬保管時に第１金具６と第２金具７を紛失する恐れが少なくなる。
また、第３固着具４２を連結と固着に共用できる。
【００２９】
前述の実施の形態では第１金具６と第２金具７を板状としたが、ブロック形状であっても良い。
また、面格子に限ることはなく、その面格子本体１２に目隠し板を取付けて目隠し塀としても良いし、手摺、フラワーボックスでも良い。
また、共同住宅の外廊下、バルコニーに取付けられる手摺、屋外に取付けるフェンスであっても良く、これらの場合には外廊下、バルコニーに立設した支柱、屋外に設定した支柱が被取付部３である。
【００３０】
前述の実施の形態では第１金具板２５の上向き凹部２６の第１縦面２６ａに突出片２７を設けて弾性を有する支持縦部２２としたが、その第１縦面２６ａにゴム材等の弾性材を設けて弾性を有する支持縦部２２としても良い。
また、載置部２１、押え縦部３１、押え部３２を弾性を有するものとしても良い。
【００３１】
前記横向部５は左右方向に連続した横棧１０としたが、必ずしも左右方向に連続した横棧に限ることはなく、柵本体２の左右方向の一部分にある横棧でも良いし、鋳物等の装飾部を有する柵の場合には、その装飾部の横向き部分を横向部５とすることができる。
つまり、横向部５は取付金具４の左右寸法よりも左右調整代だけ大きな左右長さを有するものであれば良く、その横向部５は柵本体２の左右両側寄りに有すれば良く、好ましくは上下の左右両側寄りに有する。
【００３２】
【発明の効果】
請求項１に係る発明によれば、第１金具の固着片を被取付部に取付け、その第１金具の載置部に横向部の下面を載置することで柵本体を仮置きし、その後に第２金具の固着片を被取付部に取付けることで第１金具の載置部と第２金具の押え部で横向部の下面と上面を挟持し、第１金具の支持縦部と第２金具の押え縁部で横向部の一面と他面を挟持するから、柵本体が上下方向及び左右方向と直交する方向に動かないように固定して取付けできる。
よって、第１金具に柵本体を仮置きできるから、一人の作業者で容易に取付けできる。
また、仮置きした状態で柵本体を左右に移動できるので、柵本体の左右方向の取付け位置を調整できる。
また、柵本体の横向部の上面、下面及び一面、他面を第１・第２金具でそれぞれ挟持するので、その柵本体に取付用穴等の取付用加工が不要である。
また、第２金具の押え部が横向部の上面に接しているから、第２金具を固着する作業がやり易い。
また、第１金具の固着片に第２金具の固着片を接し、第１金具の第１金具板と第２金具の第２金具板を接して第３固着具で固着できる。
【００３３】
請求項２に係る発明によれば、横向部の下面を第１金具の載置部に載置して仮置きした際に、その保持縦部が横向部の他面と接することで柵本体が脱落することを防止できる。
【００３４】
請求項３に係る発明によれば、第１金具の支持縦部が弾性変位することで、横向部の一面と他面をより強固に挟持して固定できる。
【００３６】
請求項４に係る発明によれば、第１金具と第２金具を予め連結できるので、運搬保管時に第１金具と第２金具を紛失する恐れが少なくなる。
また、第３固着具を連結と固着に共用できる。
【図面の簡単な説明】
【図１】本発明の実施の形態を示す面格子の外観図である。
【図２】拡大横断面図である。
【図３】拡大縦断面図である。
【図４】横向部と第１金具と第２金具の斜視図である。
【図５】取付け手順の説明図である。
【図６】取付金具の第２の実施の形態を示す斜視図である。
【符号の説明】
１…柵、２…柵本体、３…被取付部、４…取付金具、５…横向部、６…第１金具、７…第２金具、２０…固着部、２１…載置部、２２…支持縦部、２３…保持縦部、３０…固着部、３１…押え縦部、３２…押え部、４０…第１固着具、４２…第２固着具、４３…第３固着具。
【図１】
0004089817.tif 000002
【図２】
0004089817.tif 000003
【図３】
0004089817.tif 000004
【図４】
0004089817.tif 000005
【図５】
0004089817.tif 000006
【図６】
0004089817.tif 000007